(57)【要約】【課題】薄型で、美麗な外観を呈し、消費電力が低く、開閉を容易にすることができるＬＥＤを用いた吊り下げ式表示装置の提供を目的とする。【解決手段】光源側板状体が、略ロ字状の非磁性体からなり、外周縁に断面略Ｃ字状のレールを備えた枠体と、互いに対向して光を照射する複数の白色ＬＥＤと、枠体に支持された反射材と、行方向と列方向それぞれにＶ字状の溝が互いに平行に切られた導光板と、枠体のレール内に取り付けられた複数の磁性体と、枠体のうちの一辺に設けられ、蓋側板状体を旋回可能に支持するヒンジ部とからなり、蓋側板状体が、蓋側枠体と、蓋側枠体の開口全面を覆う透明板と、永久磁石とからなることを特徴とする。【選択図】図１
0003163183.tif 000002
【実用新案登録請求の範囲】
【請求項１】
印刷物（Ｐ）を光源側板状体（Ｂ１）と蓋側板状体（Ｂ２）とにより挟み込み、ＬＥＤから照射された光により前記印刷物（Ｐ）の裏面側から前記印刷物（Ｐ）を照らすＬＥＤを用いた吊り下げ式表示装置の構造であって、
前記光源側板状体（Ｂ１）が、
略ロ字状の非磁性体からなり、外周縁に断面略Ｃ字状のレールＲを備えた枠体（４）と、
該枠体（４）の内周縁に互いに対向して設けられ、互いに対向して光を照射する複数の白色ＬＥＤ（Ｌ１、Ｌ２）と、
前記枠体（４）に支持された反射材（３）と、
該反射材（３）上に設けられ、前記反射材（３）と向き合う面に、行方向と列方向それぞれにＶ字状の溝（２１）が互いに平行に切られた導光板（２）と、
前記枠体（４）のレールＲ内に取り付けられた複数の磁性体（６）と、
前記枠体（４）のうちの一辺に設けられ、前記蓋側板状体（Ｂ２）を旋回可能に支持するヒンジ部（Ｈ）とからなり、
前記蓋側板状体（Ｂ２）が、
前記ヒンジ部（Ｈ）を介して前記光源側板状体（Ｂ１）に旋回可能に取り付けられる略ロ字状の蓋側枠体（７）と、
該蓋側枠体（７）に固着され、少なくとも前記蓋側枠体（７）の開口全面を覆う透明板（８）と、
前記蓋側枠体（７）に取り付けられ、前記磁性体（６）に磁着して光源側板状体（Ｂ１）および蓋側板状体（Ｂ２）とを閉止した状態で維持する永久磁石（Ｍｇ）とからなることを特徴とするＬＥＤを用いた吊り下げ式表示装置（１）の構造。
【請求項２】
前記導光板の厚さが、３〜６ｍｍであることを特徴とする請求項１記載のＬＥＤを用いた吊り下げ式表示装置（１）の構造。
【請求項３】
前記磁性体（６）が、前記レール（Ｒ）内を移動可能に取り付けられてなることを特徴とする請求項１または２記載のＬＥＤを用いた吊り下げ式表示装置（１）の構造。
【考案の詳細な説明】
【技術分野】
【０００１】
本考案はＬＥＤを用いた吊り下げ式表示装置の構造に関する。
【背景技術】
【０００２】
従来の駅などに設置される、看板内に挟み込まれたポスターなどを照射するための発光装置は、冷陰極管などを用い、冷陰極管から照射された光により看板内のポスターを内部から明るく照らし、広告として用いていた。しかしながら、当該看板は、冷陰極管を用いているため、厚さが厚くなり看板自体を薄型にすることが困難であった。また、冷陰極管を用いるため、消費電力が大きく、ランニングコストが高くなりがちであった。
【０００３】
また、広告のために看板内に挟み込まれるポスターは、壁に取り付けられる側の壁側部材と、透明なガラスやアクリル板によりポスターを覆う蓋となる蓋側部材とにより挟み込まれる。当該壁側部材と、蓋側部材とは、看板から突出するネジなどの固着手段により固着されており、看板から突出しているため、見栄えが悪く、開閉する場合にネジを緩めてから開閉しなければならず、ポスターの入れ替え作業が煩雑であるという問題があった。
【０００４】
また、部屋の中に飾られる壁掛けの額縁は、図１０に示されるように、額縁の裏側の枠１０と、額縁の裏側を覆う裏板１１とを、枠１０にネジ止めされたトンボと呼ばれる涙滴型の止め金具１２を回転させることで、裏板１１を着脱し、額縁内に挟まれる写真やポスターの入れ替えを行なっている。しかしながら、図１０に示される額縁では、額縁内の写真やポスターの入れ替え作業に、枠１０に設けられた止め金具１２を１つ１つ回転させて外さなければならず、入れ替え作業が煩雑であるとともに、止め金具１２の分だけ突出してしまう。
【考案の概要】
【考案が解決しようとする課題】
【０００５】
そこで、本考案は、上記問題に鑑みて、薄型で、美麗な外観を呈し、消費電力が低く、開閉を容易にすることができるＬＥＤを用いた吊り下げ式表示装置の提供を目的とする。
【課題を解決するための手段】
【０００６】
本考案のＬＥＤを用いた吊り下げ式表示装置１の構造は、印刷物Ｐを光源側板状体Ｂ１と蓋側板状体Ｂ２とにより挟み込み、ＬＥＤから照射された光により前記印刷物Ｐの裏面側から前記印刷物Ｐを照らすＬＥＤを用いた吊り下げ式表示装置の構造であって、前記光源側板状体Ｂ１が、略ロ字状の非磁性体からなり、外周縁に断面略Ｃ字状のレールＲを備えた枠体４と、該枠体４の内周縁に互いに対向して設けられ、互いに対向して光を照射する複数の白色ＬＥＤＬ１、Ｌ２と、前記枠体４に支持された反射材３と、該反射材３上に設けられ、前記反射材３と向き合う面に、行方向と列方向それぞれにＶ字状の溝２１が互いに平行に切られた導光板２と、前記枠体４のレールＲ内に取り付けられた複数の磁性体６と、前記枠体４のうちの一辺に設けられ、前記蓋側板状体Ｂ２を旋回可能に支持するヒンジ部Ｈとからなり、前記蓋側板状体Ｂ２が、前記ヒンジ部Ｈを介して前記光源側板状体Ｂ１に旋回可能に取り付けられる略ロ字状の蓋側枠体７と、該蓋側枠体７に固着され、少なくとも前記蓋側枠体７の開口全面を覆う透明板８と、前記蓋側枠体７に取り付けられ、前記磁性体６に磁着して光源側板状体Ｂ１および蓋側板状体Ｂ２とを閉止した状態で維持する永久磁石Ｍｇとからなることを特徴とする。
【０００７】
また、前記導光板の厚さが、３〜６ｍｍであることが好ましい。
【０００８】
また、前記磁性体６が、前記レールＲ内を移動可能に取り付けられてなることが好ましい。
【考案の効果】
【０００９】
本考案によれば、吊り下げ式表示装置全体が薄型で、美麗な外観を呈し、消費電力が低く、開閉作業が容易で、かつ軽量な吊り下げ式表示装置を提供することができる。
【図面の簡単な説明】
【００１０】
【図１】（ａ）は本考案の吊り下げ式表示装置を発光面側から見た図であり、（ｂ）は本考案の吊り下げ式表示装置に用いられる導光板の拡大図である。
【図２】本考案の吊り下げ式表示装置を裏面側から見た図である。
【図３】図１におけるＸ−Ｘ線端面図である。
【図４】図１におけるＹ−Ｙ線端面図である。
【図５】図１におけるＺ−Ｚ線端面図である。
【図６】本考案の吊り下げ式表示装置に用いられる導光板を説明するための図である。
【図７】本考案の吊り下げ式表示装置の使用状態を説明するための図である。
【図８】本考案の吊り下げ式表示装置の使用状態を説明するための図である。
【図９】本考案の吊り下げ式表示装置の使用状態を説明するための図である。
【図１０】従来の壁掛けの構造を示す図である。
【考案を実施するための形態】
【００１１】
以下、添付図面を参照し、本考案の吊り下げ式表示装置を詳細に説明する。
【００１２】
図１〜３に示されるように、吊り下げ式表示装置１（以下、単に表示装置１という）は、光源側板状体Ｂ１と蓋側板状体Ｂ２とから構成されている。光源側板状体Ｂ１と蓋側板状体Ｂ２との間には、絵画のレプリカや、その写真、ポスター等の印刷物（以下、単に「印刷物」という）Ｐが挟まれ、光源側板状体Ｂ１の光源から照射された光により、印刷物Ｐが印刷物Ｐの裏面側から照らされ、透明板８を備えた蓋側板状体Ｂ２を介して印刷物Ｐが表示される。
【００１３】
本明細書における印刷物Ｐとは、写真や絵、文字などを表示した紙等をいうが、光源側板状体Ｂ１と蓋側板状体Ｂ２との間に挟むことができるものであれば、特に限定されるものではない。
【００１４】
光源側板状体Ｂ１は、図２および４に示されるように、略ロ字状の枠体４と、枠体４に取り付けられる複数のＬＥＤＬ１、Ｌ２と、枠体４に支持された反射材３と、反射材３上に設けられた導光板２と、枠体４に取り付けられた複数の磁性体６と、枠体４の一辺に設けられたヒンジ部Ｈとから構成されている。
【００１５】
枠体４は、軽量化のために、たとえばアルミや合成樹脂、木材などの非磁性体から構成されている。また、枠体４には、断面Ｃ字状のレールＲが、枠体４の外周縁に沿って設けられ、蓋側板状体Ｂ２に設けられた磁石Ｍｇを吸着するための磁性体６が当該レールＲ内に収納される。枠体４のレールＲは、表示装置１が壁に取り付けられた際に、壁と対向する側が開口し、磁石Ｍｇと磁性体６とは、レールＲの開口部と対向する底面を介して吸着される。磁性体６が枠体４のレールＲ内に収納されているので、枠体４から磁性体６が突出せず、さらに表示装置１が壁に掛けられたときに、外部から見えないので、薄型で美麗な外観を呈することができる。
【００１６】
また、略ロ字状の枠体４の内周縁の互いに対向する２辺には、ＬＥＤＬ１、Ｌ２が取り付けられ、互いに対向して光を照射する。ＬＥＤＬ１、Ｌ２は白色ＬＥＤであり、電源ＰＬから供給された電流により発光する。図３では、上下の２方向から光を照射するようにＬＥＤＬ１、Ｌ２が配設されているが、左右の２方向から光を照射するように配設してもよい。光源にＬＥＤを用いることにより、表示装置１全体を薄型にできるとともに、消費電力を低くおさえることができる。
【００１７】
略ロ字状の枠体４のうちの一辺には、ヒンジ部Ｈが設けられ、ヒンジ部Ｈを介して蓋側板状体Ｂ２が旋回可能に支持されている。したがって、表示装置１内に入れられる印刷物Ｐを入れ替えるときは、ヒンジ部Ｈを中心に蓋側板状体Ｂ２を旋回させるだけで、蓋側板状体Ｂ２の開閉操作が可能であり、開閉操作が容易である。
【００１８】
導光板２は、図１（ａ）、図１（ｂ）および図６に示されるように、反射材３と向き合う側（導光板２の印刷物Ｐと面する面の反対側の面）に、行方向と列方向それぞれに複数の微小なＶ字状の溝２１が互いに平行に切られている。図６において示される、導光板２に設けられたＶ字状の溝２１は、図１（ａ）における導光板２の参照符号Ａで示す部位の拡大図である図１（ｂ）に示されるように、行方向に複数の溝ＨＬ１、ＨＬ２・・・ＨＬｎが互いに平行に設けられ、列方向の複数の溝ＶＬ１、ＶＬ２・・・ＶＬｎが互いに平行に設けられている。このように、行方向および列方向にＶ字状の溝２１が設けられることにより、ＬＥＤＬ１、Ｌ２から出射された光を効率よく、表示面側に出射することができる。
【００１９】
ＬＥＤＬ１、Ｌ２からの出射光は導光板２の側面２ｃから導光板２内に入り、大部分の光は図６において上面である光出射面２ａで全反射、下面である光反射面２ｂでは全反射または乱反射を繰り返しながら、図６において右側に向かって進行する。このような光の伝播の際、導光板２の底面である光反射面２ｂに設けられた溝２１により反射または屈折した光が導光板２の上面である光出射面２ａから照明光として外部に出射する。
【００２０】
図６に示す導光板２の厚さＴ１は、表示装置１を薄型にするために、２〜６ｍｍであることが好ましく、さらに好ましくは３〜５ｍｍである。また、枠体４の厚さＴ２は、０．５〜２ｍｍであることが好ましい。導光板２および枠体４の厚さを薄くすることにより、表示装置１の厚さＴ３を６〜９ｍｍとすることができ、表示装置１全体を薄型、軽量化することができ、さらに磁性体６と永久磁石による吸着力のみで、光源側板状体Ｂ１と蓋側板状体Ｂ２を固定することができ、閉塞構造がシンプルで、表示装置１全体を美麗な外観にすることができる。
【００２１】
なお、枠体４には、さらに略ロ字状の枠体４の開口部の裏面側を塞ぐ裏蓋５が設けられている。
【００２２】
蓋側板状体Ｂ２は、略ロ字状の蓋側枠体７と、蓋側枠体７に固着された透明板８と、蓋側枠体７に取り付けられた永久磁石Ｍｇとから構成されている。
【００２３】
蓋側枠体７は、枠体４と同様に、軽量化のために、たとえばアルミ、合成樹脂や木材などの非磁性体から構成することができる。透明板８は、たとえばアクリル板やガラスなどが好適に採用されるが、特に材質は限定されることはない。蓋側枠体７の厚さは、光源側板状体Ｂ１の枠体４と同様に、０．５〜２ｍｍの厚さであることが好ましい。
【００２４】
また、蓋側枠体７には、図５に示されるように、蓋側板状体Ｂ２を閉塞したときに、光源側板状体Ｂ１の枠体４に取り付けられた磁性体６と対応する位置に永久磁石Ｍｇが埋設されている。したがって、ヒンジ部Ｈを介して光源側板状体Ｂ１に旋回可能に取り付けられた蓋側板状体Ｂ２は、永久磁石Ｍｇにより、容易に閉止した状態で維持され、ネジなどの固着手段により光源側板状体Ｂ１および蓋側板状体Ｂ２を固着する必要がなく、表示装置１の正面から視認されるカ所に突出する部材がない（図１参照）ので、表示装置１の外観を美麗なものとすることができる。
【００２５】
また、光源側板状体Ｂ１および蓋側板状体Ｂ２が薄型であるので、永久磁石Ｍｇとしては、高価なネオジム系、サマリウム系の希土類磁石を用いなくとも、安価なフェライト磁石により、蓋側板状体Ｂ２の閉止を維持することができるので、装置全体を安価に製造することができる。
【００２６】
また、永久磁石Ｍｇに吸着される磁性体６は、枠体４のレールＲ内を移動可能とすることができ、図２および図５に示すように、枠体４のレールＲ内において磁性体６を矢印方向にスライドさせるだけで、表示装置１の蓋側板状体Ｂ２をロック／非ロック状態に切り替えが可能であり、シンプルで安価な構成の閉鎖機構とすることができる。
【００２７】
また、図２に示されるように、光源側板状体Ｂ１の枠体４の上部にフック９をネジなどの公知の固着手段により取り付け、壁掛け型の表示装置１とすることもできる。
【００２８】
また、図７〜９に示されるように、室内Ｒｏの天井Ｃに固定されたワイヤＷ１により、フック９を介して表示装置１を、天井から吊り下げることが可能である。図８に示されるように、たとえばデパートなどの天井ＣからワイヤＷ１により、表示装置１を吊り下げることにより、各種物産展の広告などを表示することが可能である。また、図９に示すように、窓Ｗ２に面する位置に、表示装置１を吊り下げ、表示面側を窓Ｗ２側に配置し、窓Ｗ２の外から表示装置１内に設けられたポスター等の印刷物Ｐを見ることができるようにしてもよい。
【符号の説明】
【００２９】
１  表示装置
２  導光板
２１  溝
３  反射材
４  枠体
５  裏蓋
６  磁性体
７  蓋側枠体
８  透明板
９  フック
Ｂ１  光源側板状体
Ｂ２  蓋側板状体
Ｈ  ヒンジ部
Ｌ１、Ｌ２  ＬＥＤ
Ｐ  印刷物
【図１】
0003163183.tif 000003
【図２】
0003163183.tif 000004
【図３】
0003163183.tif 000005
【図４】
0003163183.tif 000006
【図５】
0003163183.tif 000007
【図６】
0003163183.tif 000008
【図７】
0003163183.tif 000009
【図８】
0003163183.tif 000010
【図９】
0003163183.tif 000011
【図１０】
0003163183.tif 000012